(57)【特許請求の範囲】
【請求項１】
送風ユニットの上部から導入した空気をその下方のファンハウジングに収容した遠心式ファンにより、前記送風ユニットの車幅方向に並設された空調ユニットへ送風するようにした車両用空調装置において、
前記遠心式ファンは、回転軸が上下に向くように配置されるとともに、その回転軸の下端部にファン駆動モータが連結され、
前記ファンハウジングには、
前記空調ユニット側の壁部における車体前後方向一側寄りの部位から該空調ユニット側へ延びる延出部と、
前記遠心式ファンの外周を囲むように延び下流端が前記延出部の端面に開口する空気流出路と、
前記延出部内の空気流出路において該空気流出路を臨む車体前後方向他側の側壁面から底面に亘って該空気流出路内へ膨出する膨出部と、
前記膨出部の上面に開口する空気取入孔から下方に延びて前記ファン駆動モータへ空気流出路内の空気を導く冷却風通路と、
前記延出部内の空気流出路における車体前後方向他側の側壁面から前記空気取入孔の空気流上流側を覆うように該空気流出路内に延び、かつ前記膨出部の上面から空気流出路の天井面に亘って延びる縦壁部と、
前記空気取入孔の開口部よりも車体前後方向一側で前記縦壁部から空気流下流側へ向かって延び、かつ空気流出路の天井面に連繋する第１リブと、
前記空気取入孔の開口部よりも車体前後方向一側で前記縦壁部から空気取入孔よりも空気流下流側まで延び、かつ前記膨出部の上面から空気流出路の天井面に亘って延びる第２リブとが設けられていることを特徴とする車両用空調装置。
【請求項２】
請求項１において、
前記第２リブよりも車体前後方向他側で前記縦壁部から空気流の下流側へ向かって延び、かつ前記膨出部の上面から空気流出路の天井面に亘って延びる第３リブが設けられ、
前記第３リブの空気流下流側の端部は、前記第２リブの下流側の端部よりも下流側に位置することを特徴とする車両用空調装置。
【請求項３】
請求項１又は２において、
前記膨出部の側面には、空気流の下流側ほど空気流出路における車体前後方向他側の側壁面に接近するように傾斜する送風ガイド部が設けられ、
前記空気取入孔は、膨出部上面の空気流上流側に開口していることを特徴とする車両用空調装置。
【発明の詳細な説明】
【０００１】
【発明の属する技術分野】
本発明は、送風ユニットと空調ユニットをからなる車両用空調装置に関し、特に、送風ユニットに配設されるファン駆動モータの冷却構造の技術分野に属する。
【０００２】
【従来の技術】
従来より、例えば特開平９−１２３７４８号公報に開示されるように、この種の空調装置を自動車の車室に設ける場合に、冷却用及び加熱用の熱交換器を収容した空調ユニットと、該空調ユニットへ空調用空気を送風する送風ユニットとに分割して、それぞれインストルメントパネル内において車幅方向略中央部とその助手席側とに配設したものが知られている。
【０００３】
前記送風ユニットには、その上部に空気導入部が設けられ、ここから導入した空調用空気をその下部の送風ファンによって空調ユニットへ送風するようになっている。前記空気導入部には、車室内の空気を取り入れるための内気取入口と車室外の空気を取り入れるための外気取入口とが形成されていて、該外気取入口はダクトを介して車体のカウルパネルに形成された開口に接続されている。
【０００４】
【発明が解決しようとする課題】
ところで、送風ユニットには、送風ファン駆動モータの過熱を防止するために、該送風ユニットに導入した空気を送風通路から取り入れてモータの内部へ供給するための冷却風通路を設けることがある。
【０００５】
しかしながら、外気導入時には、カウルパネルの開口部から外気と一緒に雨水も送風ユニット内に導入され、この雨水が送風ファンを収容するファンハウジングの側壁面や天井面を伝わって流れて、前記冷却風通路に浸入することがあり、これによってモータの信頼性が低下するという問題がある。
【０００６】
本発明は斯かる点に鑑みてなされたものであり、その目的とするところは、送風ユニットに導入した空気によってファン駆動モータを冷却する場合に、その冷却風の取入構造に工夫を凝らして、モータの信頼性を向上させることにある。
【０００７】
【課題を解決するための手段】
前記目的を達成するために、本発明の解決手段では、ファンハウジングの空気流出路内に膨出するように膨出部を設け、該膨出部の上面にファン駆動モータへの空気取入口を開口させるとともに、この開口部の空気流上流側に水の浸入を防ぐための縦壁部を設けた。
【０００８】
具体的には、請求項１の発明では、送風ユニットの上部から導入した空気をその下方のファンハウジングに収容した遠心式ファンにより、前記送風ユニットの車幅方向に並設された空調ユニットへ送風するようにした車両用空調装置を前提とする。そして、前記遠心式ファンを、回転軸が上下に向くように配置するとともに、その回転軸の下端部にファン駆動モータを連結し、前記ファンハウジングには、前記空調ユニット側の壁部における車体前後方向一側寄りの部位から該空調ユニット側へ延びる延出部と、前記遠心式ファンの外周を囲むように延び下流端が前記延出部の端面に開口する空気流出路と、前記延出部内の空気流出路において該空気流出路を臨む車体前後方向他側の側壁面から底面に亘って該空気流出路内へ膨出する膨出部と、該膨出部の上面に開口する空気取入孔から下方に延びて前記ファン駆動モータへ空気流出路内の空気を導く冷却風通路と、前記延出部内の空気流出路における車体前後方向他側の側壁面から前記空気取入孔の空気流上流側を覆うように該空気流出路内に延び、かつ前記膨出部の上面から空気流出路の天井面に亘って延びる縦壁部と、前記空気取入孔の開口部よりも車体前後方向一側で前記縦壁部から空気流下流側へ向かって延び、かつ空気流出路の天井面に連繋する第１リブと、前記空気取入孔の開口部よりも車体前後方向一側で前記縦壁部から空気取入孔よりも空気流下流側まで延び、かつ前記膨出部の上面から空気流出路の天井面に亘って延びる第２リブとを設ける構成とする。
【０００９】
前記の構成によれば、遠心式ファンが駆動されると送風ユニットの上部から空調用の空気が導入され、ファンハウジングの空気流出路を通って空調ユニットに送風される。さらに、このときの空気流出路内の空気は、該空気流出路に臨む側壁面から底面に亘って空気流出路内へ膨出する膨出部に設けられた冷却風通路からファン駆動モータに供給される。
【００１０】
ここで、外気導入時には、車室外の空気と一緒に雨水が送風ユニットに導入され、この雨水が空気流に沿って空気流出路内を下流側へ流れることになるが、前記の構成では、冷却風通路への空気取入孔が膨出部の上面に開口しているため、雨水等が浸入し難く、しかも、その空気取入孔の空気流上流側を覆うように縦壁部が形成されているので、雨水の冷却風通路への浸入が十分に抑制されて、モータの信頼性が向上する。
【００１１】
また、膨出部を空気流出路の側壁面及び底面と一体に成形すれば、冷却風通路を設けたことによる製造コストの増加を抑制できるとともに、空気流出路内の空気の流れを大きく阻害することも無い。
【００１２】
また、遠心式ファンの外周に吹き出された空気の流れは、一旦、空気流出路に集合し、全体として該空気流出路に沿って送風ファンの周囲を流れた後に、空調ユニット側へ延出した延出部内の通路に沿って車幅方向にスムーズに流れるようになる。この際、空気流出路では、その外周側へ相対的に空気流量が多くなるので、延出部内の通路の空気流量は車体前後方向一側で相対的に多くなり、一方、他側では相対的に少なくなる。そして、この風量の少ない側に膨出部が設けられているので、この膨出部によって空気の流れを阻害することはほとんど無い。
【００１３】
また、外気導入時には、雨水は上部から浸入するので、空気流出路の天井面を伝わって流れる量も多いが、空気取入孔よりも車体前後方向一側で該天井面に連繋する第１リブを設けたので、そのような雨水が空気取入孔に対応する天井面近傍へ流れてくることを阻止して、空気取入孔よりも空気流下流側へ導くことができる。
【００１４】
また、空気流出路内を流れる雨水のうち一部は、縦壁部の車体前後方向一側の縁部から廻り込むようになるが、空気取入孔よりも車体前後方向一側で膨出部上面から空気流出路の天井面に亘って延びる第２リブを設けたので、縦壁部を廻り込む雨水を空気取入孔よりも下流側へ確実に導くことができる。
【００１５】
請求項２の発明では、請求項１の発明において、前記第２リブよりも車体前後方向他側で前記縦壁部から空気流の下流側へ向かって延び、かつ前記膨出部の上面から空気流出路の天井面に亘って延びる第３リブを設け、該第３リブの空気流下流側の端部を、前記第２リブの下流側の端部よりも下流側に位置させる構成とする。
【００１６】
この構成によれば、前記の如く空気流出路内では、車体前後方向他側ほど相対的に空気流量が少ないが、この空気流量の少ない側に配置された第３リブの空気流下流側の端部が第２リブの下流側の端部よりも下流側に位置付けられているので、この第３リブによって雨水を空気取入孔の下流側へ確実に導くことができる。一方、空気流の多い側に配置された第２リブの下流側の端部が相対的に上流側に位置することになるので、空気流の多い側で相対的に通路断面積を拡大でき、スムーズな送風が行える。
【００１７】
請求項３の発明では、請求項１又は２の発明において、前記膨出部の側面には、空気流の下流側ほど空気流出路における車体前後方向他側の側壁面に接近するように傾斜する送風ガイド部を設け、前記空気取入孔を、膨出部上面の空気流上流側に開口するものとする。
【００１８】
この構成では、膨出部の側面に、空気流下流側ほど空気流出路の車体前後方向他側の側壁面へ接近するように傾斜する送風ガイド部を設けたので、この部分の通路の断面積を下流側に向かって徐々に大きくすることができ、このことで、空気の流れがスムーズになる。しかも、空気取入孔は、膨出部上面における比較的、車体前後方向の寸法が長い上流側の部分に形成されているので、該空気取入孔の開口面積は十分に確保できる。
【００１９】
【発明の実施の形態】
以下、本発明の実施形態を図面に基づいて説明する。
【００２０】
図１〜図３は、本発明の実施形態に係る空調装置１の外観を示すものであり、この空調装置１は、図４に示すように、自動車の車室に配設されているインストルメントパネル２の内方に収容されている。この自動車は、運転席及び助手席がそれぞれ車体右側及び左側に設けられている、いわゆる右ハンドル車であり、さらに前部のエンジンルームと、車室の前側とはダッシュパネルＰ（図１１にのみ示す）によって仕切られている。尚、この明細書では、空調装置１の車体前側及び車体後側を、それぞれ単に前側及び後側とも呼ぶものとする。
【００２１】
前記空調装置１は、図３に示すように、送風ユニット３と、該送風ユニット３からの空調用空気を冷却した後、温度調節して車室へ供給する空調ユニット４と、送風ユニット３からの空気を空調ユニット４へ送る中間ダクト５とからなるものである。空調ユニット４は車幅方向の略中央部に配置される一方、送風ユニット３は該空調ユニット４から車体左側へ所定距離離間して助手席の前方に配置されている。また、該送風ユニット３の下端は、空調ユニット４の下端よりも上方に位置付けられていて、助手席乗員の足元スペースを広く確保している。
【００２２】
前記送風ユニット３は、図５及び図６に示すように、その車幅方向の略中央部において左右に２つに分割されたケーシング６を備えており、それらはファスナ等を用いて一体化されている。そのケーシング６の上側には空調装置１へ空気を取り入れるための空気導入部７が設けられる一方、下側には取り入れた空気を前記空調ユニット４へ送風するための送風部８が設けられている。空気導入部７の上部には、車室外の空気を取り入れるための外気取入口１０と、車室内の空気を取り入れるための内気取入口１１とが形成されていて、さらに、これらのうちのいずれか一方を閉状態とするとともに、他方を開状態とするように作動する内外気切替ダンパ１２（図２のみに示す）が、該空気導入部７の内方に設けられている。
【００２３】
詳しくは、前記空気導入部７の上部は、前後に隣接する２つの矩形状の傾斜面が互いに差し掛けられた屋根のような形状をなし、その前面部が後側ほど上方に位置し、また、後面部は前側ほど上方に位置し、それらの上縁同士が連繋していて、車幅方向から見て、略三角形の断面を有するように形成されている。前記前面部及び後面部にそれぞれ前記外気取入口１０及び内気取入口１１が矩形状に開口していて、該外気取入孔１０は図示しないダクトを介して前記ダッシュパネルＰの上端部に配設されたカウルパネル（図示せず）に形成された開口に接続されている。一方、前記空気導入部７の側面部は、前面部及び後面部の対応する側縁同士を連繋するように設けられている。前記内外気切替ダンパ１２は、各取入口１０、１１よりも大きい矩形状とされていて、その上縁に車幅方向に延びる軸を有し、この両端がそれぞれ前記空気導入部７の一対の側面部の上端側に支持されている。
【００２４】
前記内外気切替ダンパ１２の軸の一方側には、空気導入部７の側面部に取り付けられたアクチュエータ１５の出力軸が連結されるように、該側面部を貫通する連結部（図示せず）が設けられている。また、該側面部には、アクチュエータ１５をねじ等により締結するためのボス部が一体成形されている。該アクチュエータ１５は、車体に配設されている空調制御部（図示せず）からの信号を受けて作動するように構成されていて、空調制御部からの信号線は、アクチュエータ１５のカプラ１７に結線されるようになっている。
【００２５】
そして、前記アクチュエータ１５によって内外気切替ダンパ１２がその軸周りに回動されて、外気取入口１０を全開とする位置にされると内気取入口１１が全閉とされて、外気のみを取り入れる外気導入モードとなる一方、該内外気切替ダンパ１２がその状態から逆方向に回動されて、外気取入口１０を全閉とする位置にされると内気取入口１１が全開とされて、内気循環モードとなる。
【００２６】
一方、前記空気導入部７の下部には、図７に示すように、取り入れた空気を濾過するためのフィルタ２０が配設されるフィルタ配設部２１が設けられており、図示しないが、このフィルタ配設部２１の後側には開口が形成されていて、この開口からフィルタ２０の交換が行えるようになっている。そして、この図において矢印で示すように、空気導入部７の上部から空気が取り入れられ、フィルタ２０を通過し、送風部８に導入される。
【００２７】
前記送風部８には、送風ファン２３である遠心式多翼ファンがその回転軸を上下方向に向けて配設され、さらにこの送風ファン２３の下方にその回転軸と連結されるファン駆動モータ２４が配設されている。この送風ファン２３は、送風部８の外形状を構成するファンハウジング２２に収容されていて、そのファンハウジング２２には、送風ファン２３の外周を囲んで該送風ファン２３からの空気を中間ダクト５へ流出させる空気流出路２８が形成されている。この空気流出路２８は、その上流側が送風ファン２３の車体右側における前後方向の略中央部に対応する部分に位置付けられ、ここから送風ファン２３の車体前側、左側へと順に回り込んで、該送風ファン２３の後側で車幅方向に延びていて、その上流側から下流側へ向かって徐々に断面積が大きくなる渦巻き状の通路である。
【００２８】
すなわち、前記ファンハウジング２２には、空調ユニット４側の側壁部における車体後側寄りの部位から該空調ユニット４側へ直線的に延びる延出部２９が設けられている。そして、前記空気流出路２８の下流端は、この延出部２９の空調ユニット４側の端面に開口しており、この開口部が中間ダクト５を介して空調ユニット４と接続されている。従って、送風ファン２３が駆動されると、空気は送風ファン２３からその外周に向かって送り出され、その流れは、まず、空気流出路２８のうち、渦巻き状に形成された部分で集合した後、延出部２９に対応する部分を車体左側から右側へスムーズに流れるようになる。
【００２９】
前記延出部２９は、図８に示すように、断面が大略矩形状とされており、該延出部２９には、その車体前側に位置するとともに空気流出路２８を臨む側壁面から底面に亘って該空気流出路２８の内部へ膨出する膨出部８０が設けられていて、この膨出部８０の内部に空気流出路２８の空気を冷却風として前記ファン駆動モータ２４へ供給するための冷却風通路８１が形成されている。この膨出部８０は、空気流出路２８の側壁面及び底面と一体成形されていて、このことで、該膨出部８０によって空気流出路２８内の空気の流れが阻害される度合いは極めて小さいものとなる。
【００３０】
前記膨出部８０の上端は、延出部２９の上下方向の略中央部に位置するとともに略水平な平坦面とされている。さらに、この膨出部８０は上端から下端に亘って、断面形状が略同じとされており、また、該膨出部８０の車体後側の側面には、空気流の下流側ほど延出部２９内の空気流出路２８の前側壁面に接近するように傾斜する傾斜面８０ａ（送風ガイド部）が設けられている。言い換えると、図９及び図１０に示すように、膨出部８０は空気流の上流側が相対的に大きく膨出しているので、該膨出部８０上面の車体前後方向の寸法は上流側が相対的に長くなる。また、このように膨出部８０の側面に前記送風ガイド部８０ａを設けているので、膨出部８０に対応する空気流出路２８の断面形状を、徐々に該空気流出路２８の下流端の断面形状に近づけることができ、もって、送風をスムーズに行うことができる。
【００３１】
前記冷却風通路８１は、その上流端が膨出部８０の上面に開口する空気取入孔８２に接続されていて、ここから延出部２９の底壁部を貫通するように略鉛直に延びている。前記空気取入孔８２は、全体として車体前後方向に長く延びる略矩形状とされ、その車体前側の縁部は延出部２９内における空気流出路２８の前側壁面に沿うように延びており、また、車体左側、即ち、空気流の上流側の縁部は、膨出部８０上面の上流側縁部に対応している。さらに、該空気取入孔８２の車体後側の縁部は膨出部８０上面の車体後側縁部よりも前方に位置し、また、空気流下流側の縁部は膨出部８０上面において略中央部に位置している。すなわち、空気取入孔８２は、膨出部８０上面における空気流の上流側に位置付けられているので、その開口面積を十分に大きくすることができる。
【００３２】
前記冷却風通路８１の下流端部は、ファンハウジング２２の底壁部に一体的に形成された外側通路８３（図３にのみ示す）の上流端部に接続されていて、この外側通路８３はファン駆動モータ２４の内部と連通している。そして、前記空気流出路２８内の空気は、空気取入孔８２から取り入れられて、膨出部８０内の冷却風通路８１を通って外側通路８３に流れ、ファン駆動モータ２４の内部に供給されて、該モータ２４を冷却するようになる。
【００３３】
この際、外気導入モードとされていると、送風ユニット３内にカウルパネルの開口部から車室外の空気と一緒に雨水が流れ込んでくることがあり、この雨水が空気取入孔８２から冷却風通路８１に浸入すると、ファン駆動モータ２４の信頼性が低下する虞れがあった。これに対して、本実施形態では、前記の如く空気取入孔８２を空気流出路２８の底面から上方へ離すことで、その底面を流れる雨水の冷却風通路８１への浸入を防止する一方、空気流出路２８の側壁面や天井面を伝わって流れる雨水の浸入を抑制するために空気取入孔８２の空気流上流側を覆うように壁部８４を設けている。
【００３４】
すなわち、この壁部８４は、図８〜図１０に示すように、前記空気取入孔８２よりも空気流出路２８の内方まで延びるとともに、膨出部８０上面の空気流上流側の周縁部から空気流出路２８の天井面に亘って、空気流と略直交するように延びる縦壁部８４とされている。この縦壁部８４は略矩形状とされ、その車体後側の部分は後端側ほど空気流の下流側へ位置するように湾曲形成されている。
【００３５】
外気導入モード時に空気導入部７へ浸入した雨水は、送風ユニットケーシング６の壁部の内面を伝わって流れ落ちて、ファンハウジング２２の空気流出路２８の天井面や側壁面に伝わるようになる。そして、空気流によって下流側へ流されるが、縦壁部８４を該空気流出路２８の天井面及び側壁面に連繋させているので、空気取入孔８２の上方に雨水が流れてくることはほとんど無く、冷却風通路８１への浸入が確実に抑制される。
【００３６】
また、前記空気流出路２８の内部には、縦壁部８４の湾曲部分の車体後縁部から空気流の下流側へ向かって延びるように形成された矩形の第１リブ８５が設けられている。該第１リブ８５は、上端が空気流出路２８の天井面に連繋していて、そこから下端までの寸法は、略１４ミリメートルとされており、また、図９に示すように、空気流下流側の端部は前記膨出部８０よりも下流まで延びている。前記空気流出路２８の天井面に伝わって流れる雨水は、この第１リブ８５によって膨出部８０の上方の天井面に流れてくることは無く、該膨出部８０よりも下流側へ導かれるため、冷却風通路８１への浸入を十分に抑制できる。さらに、この第１リブ８５の上下方向の寸法が長いと、その分、延出部２９内の空気流出路２９の断面積が狭くなって空気がスムーズに流れにくくなるが、その寸法を略１０〜略２０ミリメートルの間の長さすれば、前記した天井面を伝わる雨水の冷却風通路８１への浸入の抑制と、空気のスムーズな流れとを両立させることができる。
【００３７】
また、前記空気流出路２８の内部には、膨出部８０上面における空気取入孔８２の車体後側周縁部から空気流出路２８の天井面に亘って延び、かつ縦壁部８４から膨出部８０よりも空気流下流側まで延びる矩形の第２リブ８６が設けられている。また、この第２リブ８６と前記空気流出路２８の車体前側壁面との間には、前記縦壁部８４から第２リブ８６の下流側端部よりも下流側まで延びる矩形の第３リブ８７が設けられている。この第３リブ８７は、膨出部８０上面における空気取入孔８２の車体前後方向の略中央部から空気流出路２８の天井面に亘って、前記第２リブ８６と略平行に延びている。
【００３８】
前記送風ユニット３に浸入した雨水のうちの一部は、前記縦壁部８４の車体後側の縁部から廻り込んで下流側へ流れるようになるが、この雨水は、前記第２リブ８６や第３リブ８７を伝わって膨出部８０の下流側まで導かれるので、冷却風通路８１への浸入は十分に抑制される。
【００３９】
また、前記送風ファン２３から吹き出された空気の流れが空気流出路２８で集合した際には、該空気流出路２８の外周側で相対的に風量の多い流れとなるので、空気流出路２８のうち延出部２９に対応する部分では車体後側において相対的に風量の多い流れとなる。このことに対応して、本実施形態では、第３リブ８７よりも空気流の多い側に位置する第２リブ８６の空気流下流側の端部を第３リブ８７の下流側端部よりも上流側に位置させている。すなわち、第２リブ８７の下流側端部を相対的に上流側に位置させると、若干、冷却風通路８１への雨水の浸入を抑制する作用が低下するが、風量の多い側で相対的に空気通路の断面積を拡大できるので、スムーズな送風が行えるようになる。そして、このとき低下した第２リブによる雨水の浸入抑制の作用については、該第２リブ８６よりも下流側へ延びている第３リブ８７によって補うことができる。つまり、前記の如く第２リブ８６及び第３リブ８７のそれぞれの形状を設定したので、スムーズな送風と雨水の浸入抑制との両立を図ることができる。
【００４０】
前記中間ダクト５は、その車体左側の端部から空調ユニット４の下端側へ向かって斜め下方へ延びるように形成されていて、詳細は後述するが、その右側の端部が、空調ユニット４の左側壁部の下側に形成された空気導入口２５を介して、該空調ユニット４の内部空間と連通している。すなわち、送風ユニット３と空調ユニット４とは、中間ダクト５の分だけ離れていて、該送風ユニット３からの空気は、図７の矢印で示すように、この中間ダクト５内を通過してスムーズに空調ユニット４へ送られるようになっている。
【００４１】
前記空調ユニット４は、全体として上下方向に長く、かつ前記送風ユニット３のケーシング６よりも大型の矩形箱状に形成されたケーシング３０を備えており、該ケーシング３０は底壁部３１と、この底壁部３１よりも上側の本体部３２とに分割されていて、さらに、該本体部３２は前記送風ユニット３と同様に、その車幅方向の略中央部において２つに分割されている。このケーシング３０の内部には、図１１に示すように、前記中間ダクト５が接続される空気導入口２５よりも上方に冷凍サイクルの一要素であるエバポレータ３３が配設され、さらにその上方にはヒータコア３４が配設されている。また、この空調ユニット４のケーシング３０の上部には、調和空気の吹出口が複数形成されており、前記図７に矢印で示すように、前記送風ユニット３からの空気の流れはこの空調ユニット４内で上方へ向かう流れとなる。
【００４２】
前記空調ユニット４の空気導入口２５は、全体として略台形状とされ、下縁は略水平に延びる一方、上縁は後側ほど上方に位置するように傾斜して直線的に延びている。すなわち、空気導入口２５は、後述するエバポレータ３３の傾斜配置に対応して、できるだけ大きな開口面積を確保できるような形状とされている。
また、この空気導入口２５の周縁には、その全周から車体左側へ略水平に延出したダクト接続部５９が一体に設けられていて、このダクト接続部５９に前記中間ダクト５の右端部が嵌合されている。従って、中間ダクト５の右端部の上縁は、後側ほど上方に位置するように傾斜して延びる一方、左端部の上縁は前記の如く略水平に延びている。そして、これら中間ダクト５の右端部及び左端部の上縁同士を連繋するように上壁６６が設けられていて、この上壁６６に前記ファン駆動モータ２４の回転数を制御するパワートランジスタ等の配設された制御回路２６が取り付けられている。
【００４３】
前記中間ダクト５の上壁６６は、３つの平坦な面部から構成されていて、全体としては大略矩形状とされ、かつ、送風ユニット３から空調ユニット４に向けて徐々に下方へ向かうように傾斜している。該上壁６６は、まず、その左前隅から右後隅に亘って延びる対角線に沿って２つに区分されていて、この対角線よりも後側の傾斜面部が前記送風ユニット３の空気吹出口２９の上縁から空調ユニット４の空気導入口２５の上縁に延びるように形成されていて、前記制御回路２６の配設部とされている。また、前記対角線よりも前側の部分は、該対角線の略中央からこの上壁６６の右前隅に亘って延びる直線に沿ってさらに２つに区分されている。
【００４４】
前記中間ダクト５に取り付けられている制御回路２６は、大略矩形箱状とされ、若干、中間ダクト５の延びる方向に長く形成されている。この制御回路２６は、大部分が中間ダクト５の内部を臨むようにして、残りの上端側のみが中間ダクト５の上壁６６から突出するように取り付けられおり、その上端に前記空調制御部からのコネクタを接続するためのカプラ２７が設けられている。この制御回路２６の配設部は、前記の如く空気吹出口２９上縁から空気導入口２５上縁に延びるように形成されているので、中間ダクト５内の空気の流れの障害とならず、制御回路２６への冷却風の確保を容易にしている。
【００４５】
前記の如く構成された中間ダクト５から空調ユニット４へ導入された空気は、まず、前記エバポレータ３３を通過する。このエバポレータ３３は、送風ユニット３からの空気を冷却する冷却用の熱交換器であり、例えばアルミニウム等の金属薄板から形成されたチューブを互いに同方向に延びるように多数積層して、隣り合うチューブの間に、同じく金属薄板から形成された波形のフィンを介在させたものである。このエバポレータ３３のチューブ内には、冷凍サイクルにより生成される低温の冷媒が循環して、該エバポレータ３３を通過する空気を冷却するようになっている。すなわち、このエバポレータ３３には、図示しないが、チューブの両端側にそれぞれ該チューブと連通するタンクが設けられていて、一方のタンクはチューブの積層方向の中央部分に配設された仕切板によって流入タンク部と流出タンク部とに区画されている。そして、流入タンク部に流入した冷媒は、この流入タンク部に接続された上流側チューブを介して他方のタンクに流れ、その後、この他方のタンクから下流側チューブを介して前記一方のタンクの流出タンク部に至る。
【００４６】
前記エバポレータ３３は、チューブの延びる方向を車体前後方向に向け、かつ車幅方向に見て、該エバポレータ３３の下端と前記空気導入口２５の上縁とが略一致するように、傾斜した状態で配設されている。言い換えると、エバポレータ３３の前端側は、空調ユニット４の下端部近傍に位置し、該エバポレータの後側が前側よりも上方に位置している。そして、空調ユニット４の下側の内部空間に導入された送風ユニット３からの空気は全てエバポレータ３３を通過するようになっている。前記エバポレータ３３の流入タンク部と流出タンク部とには、それぞれクーラパイプ（図示せず）が接続されていて、各クーラパイプは空調ユニット４のケーシング３０における左側壁部３０ａからケーシング３０の外方へ延出した後、車体前方へ延びるように成形されている。
【００４７】
また、エバポレータ３３が前記の如く傾斜配置されているために、空気の冷却時に該エバポレータ３３のチューブやフィンに発生した凝縮水は、そのチューブを伝わって前端側の部分まで流れ、そこから前記ケーシング３０の底壁部３１に落下するようになり、凝縮水をスムーズに排水できる。そして、底壁部３１に落下した凝縮水は、該底壁部３１のドレン部３５を介して車外へ排出される。詳しくは、このドレン部３５は、底壁部３１の前端側における車体左側の部分に、該底壁部３１と一体に形成されたドレン通路（図示せず）を備えていて、このドレン通路の上流端はケーシング３０内に臨んで開口し、そこからケーシング３０の左側壁部３０ａよりも車体左側へ突出するように延びて、さらに下流側の部分は前記クーラパイプと同様に車体前方へ延びており、その下流端が開口している。このように底壁部３１の前端側にドレン部３５が設けられているので、前記の如くエバポレータ３３の前端側から落下した凝縮水は、素早く排出されるようになり、底壁部３１の保水量を少なくすることができる。
【００４８】
また、前記エバポレータ３３の上方のヒータコア３４は、該エバポレータ３３を通過した空気を加熱する加熱用の熱交換器であり、該エバポレータ３３と同様に積層されたチューブ及びフィンとからなるものとされ、該チューブ内にはエンジンからの高温の冷却水が循環して、該ヒータコア３４を通過する空気を加熱するようになっている。このヒータコア３４にも、前記エバポレータ３３の各クーラパイプと同様に、エンジン冷却水を流入及び流出させる各ヒータパイプ（図示せず）が設けられていて、それぞれが、ケーシング３０の左側壁部３０ａから外方へ延出した後、車体前方へ延びるように成形されている。従って、各ヒータパイプは、前記中間ダクト５の上方に位置することになるので、助手席乗員が接触することは無く、該ヒータパイプへの断熱部材の取り付けを省略できる。
【００４９】
前記エバポレータ３３とヒータコア３４との間には、調和空気の温度を調節するための２つのエアミックスダンパ３６、３７が設けられている。このエアミックスダンパ３６、３７による温度調節は、エバポレータ３３を通過した空気のうち、ヒータコア３４を通過する空気量と該ヒータコア３４をバイパスさせるバイパス通路３８を通過する空気量との比率を変更することによって行われる。
【００５０】
詳しくは、図１１に示すように、空調ユニット４の内部は、ケーシング３０の内側に一体成形された隔壁部４０によってエバポレータ３３の配設空間４１と、ヒータコア３４の配設空間４２とに区画されている。この隔壁部４０は、車幅方向から見ると、車体前側で略水平に延びる前側隔壁４０ａと、車体後側で逆Ｖ字状をなす後側隔壁４０ｂとからなり、その前側隔壁４０ａと後側隔壁４０ｂとには、それぞれ、エバポレータ配設空間４１とヒータコア配設空間４２とを連通させる２つの開口部４３、４４が形成されていて、前記エアミックスダンパ３６、３７により開閉されるようになっている。さらに、前記隔壁部４０の後側隔壁部４０ｂには、ヒータコア配設空間４２の後側で前記バイパス通路３８とエバポレータ配設空間４１とを連通させる開口部４８が形成されている。
【００５１】
前記２つのエアミックスダンパ３６、３７は、内外気切替ダンパ１２と同様に、各々が車幅方向に延びる軸を有しており、その両端がケーシング３０に支持されていて、それぞれの車体左側の軸端に対して、前記ケーシング３０の左側壁部３０ａに配設されたアクチュエータ４５の出力軸がリンク機構４６を介して連結されている。該アクチュエータ４５は、内外気切替ダンパ１２のアクチュエータ１５と同様に、ケーシング左側壁部３０ａに突設されたボス部に固定されている。
【００５２】
前記２つのエアミックスダンパ３６、３７は、前記したリンク機構４６により連動しており、アクチュエータ４５により前側及び後側開口部４３、４４のそれぞれを全開とする位置から、全閉とする位置まで回動するようになっている。この際、後側のエアミックスダンパ３７は、前記後側開口部４４を全開とする位置まで回動すると、前記バイパス通路３８の上流端開口部４８を全閉とするようになっていて、略全ての空気がヒータコア３４を通過するようになる。尚、このエアミックスダンパ３６、３７のアクチュエータ４５も前記内外気切替ダンパ１２のアクチュエータ１５と同様に、空調制御部の信号線が結線されるカプラ４９（図３及び図７にのみ示す）を有している。
【００５３】
尚、図示しないが、前記エバポレータ３３には、その表面の温度を検出する温度センサが配設される一方、ヒータコア３４にはその内部のエンジン冷却水の温度を検出する水温センサが配設されている。これら各センサの信号線は、空調ユニット４の左側壁部３０ａを貫通して延びていて、前記空調制御部に接続されるようになっている。
【００５４】
さらに、前記空調ユニット４のケーシング３０の上部には、車体後側の傾斜した部分にベント吹出口５０，５０，…が形成され、その前側の略水平な部分にデフロスト吹出口５１，５１が形成されている。さらに、該ケーシング３０の上部における左側壁部３０ａ及び右側壁部３０ｂには、それぞれフット吹出口５２（図１１に右側のもののみ示す）が形成されている。前記ベント吹出口５０，５０，…は、ベントダクト（図示せず）を介して図４に示すインストルメントパネル２に設けられたベントグリル５３，５３，…に接続されており、各ベント吹出口５０からの調和空気は主に乗員の上半身へ吹き出すようになっている。一方、前記デフロスト吹出口５１，５１は、デフロストダクト（図示せず）を介してインストルメントパネル２の前端側に設けられたデフロストグリル５４，５４に接続されており、各デフロスト吹出口５１からの調和空気はフロントウインドの内面に向かって吹き出すようになっている。また、前記左右のフット吹出口５２，５２には、それぞれ下方へ延びるダクト５６、５７が接続されていて、両ダクト５６、５７は、インストルメントパネル２の下側における運転席乗員及び助手席乗員の足元近傍で開口しており、フット吹出口５２，５２からの調和空気を乗員の足元に向かって吹き出すようになっている。
【００５５】
前記フット吹出口５２，５２に接続されたダクト５６、５７のうち、運転席側のダクト５６は、ケーシング３０の右側壁部３０ｂから後側の壁部に回り込むように、該ケーシング３０と一体的に設けられたもので、比較的、大きい断面積を有しており、後席乗員への調和空気も一緒に通過する後席用との兼用のダクトとされている。この兼用ダクト５６のケーシング右側壁部３０ｂに対応する部分の前側には、前記したように運転席乗員への調和空気の吹出用開口５５，５５が形成される一方、ケーシング３０の後壁部に対応する部分の下端側には後席乗員へ調和空気を導くためのフロアダクト（図示せず）の上端部が接続される接続部５８，５８が形成されている。
【００５６】
また、前記空調ユニット４のケーシング３０内部には、前記吹出口５０、５１、５２を開閉して調和空気の吹出方向を変更する２つの吹出方向切替ダンパ６０、６１が、前記エアミックスダンパ３６、３７と同様に設けられていて、これらは空調ユニット４のケーシング３０における左側壁部３０ａに配設されたリンク機構６２及び該左側壁部３０ａのボス部に固定されたアクチュエータ６３により作動するようになっている。
【００５７】
前記吹出方向切替ダンパ６０、６１のうちの前側のものは前記デフロスト吹出口５１，５１を開閉するデフロストダンパ６０とされ、後側のものはベント吹出口５０，５０，…を開閉するベントダンパ６１とされている。それぞれのダンパ６０、６１は前記リンク機構６２により連動するようになっており、前記アクチュエータ６３によって駆動されることで、それぞれが各吹出モードに対応した開度とされる。すなわち、この空調ユニット４は、２つのダンパ６０、６１の開閉状態によってベントモード、デフロストモード、フットモード、ベント及びフットの各吹出口５０、５２から吹き出すバイレベルモード等の各吹出モードに切り替え可能とされている。尚、この吹出方向切替ダンパ６０、６１のアクチュエータ６３も前記内外気切替ダンパ１２のアクチュエータ１５と同様に、空調制御部の信号線が結線されるカプラ６５（図３及び図７にのみ示す）を有している。
【００５８】
次に、前記空調装置１の車体への取り付けについて、まず、送風ユニット３及び空調ユニット４のそれぞれの取付部について説明する。送風ユニット３の送風部８の左右両側には、それぞれ一対の取付脚６８，６８が設けられ、また、前記フィルタ配設部２１の空調ユニット４側から車体右側に向かって斜めに突出する取付脚６９が設けられている。一方、空調ユニット４の取付部は、前記ドレン部３５に一体成形された取付脚７０と、ケーシング３０上部の左右両側にそれぞれ設けられた一対の取付脚７１，７１とからなる。
【００５９】
また、前記送風ユニット３及び空調ユニット４の取付部６８〜７１には貫通孔が形成される一方、前記ダッシュパネルＰには、図示しないが、各貫通孔の位置に対応するように、スタッドボルトが取り付けられている。また、該ダッシュパネルＰには、前記クーラパイプ及びヒータパイプと、ドレン通路との配設位置に対応して貫通孔が形成されている。そして、各ユニット３、４の取付部６８〜７１における貫通孔にスタッドボルトを挿通させるように空調装置１を車体に位置決めすると、前記クーラパイプ及びヒータパイプはダッシュパネルＰの貫通孔からエンジンルームに臨むようになる。この状態で、スタッドボルトにナットを螺合させることによって空調装置１を車体に対して強固に固定することができ、また、各パイプにはエンジンルーム内の配管を接続して、ドレン通路には排水パイプを接続する。
【００６０】
したがって、この実施形態に係る空調装置１によると、送風ユニットハウジング６に形成された延出部２９内の空気流出路２８の車体前側の壁面から底面に亘ってその空気流出路２８内へ膨出する膨出部８０を設けて、その内部にファン駆動モータ２４へ冷却風を導く冷却風通路８１を形成したので、該冷却風通路８１を設けたことによって空気流が阻害されることはほとんど無く、スムーズに送風することができる。また、膨出部８０は延出部２９の側壁及び底壁と一体成形されているので、冷却風通路８１を設けたことによる製造コストの増加を抑制できる。
【００６１】
また、冷却風通路８１の上流端部を膨出部８０の上面に開口する空気取入孔８２に接続して、その空気取入孔８２の空気流上流側に縦壁部８４を設け、さらに、この縦壁部８４から空気流下流側へ向かって延びる第１〜第３リブ８５〜８７を設けたので、送風ユニット３内に浸入した雨水が冷却風通路８１に流れ込むことを十分に抑制して、ファン駆動モータ２４の信頼性を向上させることができる。
【００６２】
（他の実施形態）
尚、本発明は前記実施形態に限定されるものではなく、その他の種々の実施形態を包含するものである。すなわち、前記実施形態は、右ハンドル車の場合について説明しているが、本発明は送風ユニット３を車体右側に配置する左ハンドル車にも適用できる。
【００６３】
【発明の効果】
以上説明したように、請求項１の発明に係る車両用空調装置によると、ファンハウジングの空気流出路の側壁面から底面に亘って該空気流出路内へ膨出する膨出部を設け、その上面にファン駆動モータへの冷却風通路の空気取入孔を開口し、空気流出路の側壁面から空気取入孔の空気流上流側を覆うように延びる縦壁部を設けたので、空気流出路内を流れる雨水の冷却風通路への浸入が抑制されて、モータの信頼性を向上させることができる。
【００６４】
また、ファンハウジングの空調ユニット側の壁部における車体前後方向一側寄りの部位に形成した延出部の端面に空気流出路の下流端を開口し、膨出部を延出部内で車体前後方向他側に設けたので、膨出部によって空気の流れを阻害することはほとんど無い。
【００６５】
また、空気取入孔よりも車体前後方向一側で縦壁部から空気流下流側へ向かって延びる第１リブを空気流出路の天井面に連繋させたので、該天井面に伝わる雨水を空気取入孔よりも空気流の下流側へ導いて、冷却風通路への浸入をさらに抑制できる。
【００６６】
また、空気取入孔よりも車体前後方向一側に、縦壁部から空気流の下流側へ延び、かつ膨出部上面から空気流出路の天井面に亘って延びる第２リブを設けたので、雨水が縦壁部の車体前後方向一側から廻り込んでも、この雨水の冷却風通路への浸入を抑制できる。
【００６７】
請求項２記載の発明によると、第２リブよりも車体前後方向他側で前記縦壁部から空気流の下流側へ向かって延びる第３リブを設けて、該第３リブの空気流下流側の端部を、第２リブよりも下流側に位置させたので、空気流出路の雨水を空気取入孔の下流側へ確実に導いて冷却風通路への浸入を十分に抑制しながら、スムーズな送風が行える。
【００６８】
請求項３記載の発明によると、膨出部の側面の送風ガイド部によってスムーズに送風できるとともに、空気取入孔を膨出部上面の空気流上流側に開口したので、該空気取入孔の開口面積を相対的に大きく確保することができる。
【図面の簡単な説明】
【図１】本発明の実施形態に係る車両用空調装置の外観を示す左側後方からの斜視図である。
【図２】空調装置の外観を示す右側後方からの斜視図である。
【図３】空調装置の外観を示す後面図である。
【図４】空調装置の配設状態を示す説明図である。
【図５】送風ユニットの下方からの斜視図である。
【図６】送風ユニットの右側からの斜視図である。
【図７】空調装置の構造を示す図３相当図である。
【図８】送風ユニットの接続ダクト部近傍の側面図である。
【図９】図８におけるＡ−Ａ線断面図である。
【図１０】図８におけるＢ−Ｂ線断面図である。
【図１１】空調ユニットの内部構造を示す断面図である。
【符号の説明】
１    空調装置
３    送風ユニット
４    空調ユニット
８    送風部
２２  ファンハウジング
２３  送風ファン（遠心式ファン）
２４  ファン駆動モータ
２８  空気流出路
２９  延出部
８０  膨出部
８０ａ  送風ガイド部
８１  冷却風通路
８２  空気取入孔
８４  縦壁部
８５  第１リブ
８６  第２リブ
８７  第３リブ
【図１】
0003623195.tif 000002
【図２】
0003623195.tif 000003
【図３】
0003623195.tif 000004
【図４】
0003623195.tif 000005
【図５】
0003623195.tif 000006
【図６】
0003623195.tif 000007
【図７】
0003623195.tif 000008
【図８】
0003623195.tif 000009
【図９】
0003623195.tif 000010
【図１０】
0003623195.tif 000011
【図１１】
0003623195.tif 000012